(57)【要約】      （修正有）【課題】水分を確実に集めて排出し、速やかに乾かして乾燥した状態に保ち、カビの発生を防ぐ、まな板を提供する。【解決手段】まな板１０は、柔軟性可撓性プラスチック材料からなるとともに、表面部１１を有する。表面部１１の周縁には、ストッパ縁１２が突設される。ストッパ縁１２の一隅には、フック部１３が設けられる。表面部１１には、フック部１３の対角位置に排水切欠溝が形成される。排水切欠溝は、表面部１１からストッパ縁１２へ向かって上斜め前方に傾斜している。ストッパ縁１２の断面は、下向きのコ字状である。まな板１０は熱可塑性ポリウレタンからなる。ストッパ縁１２の底面には、排水溝が凹設されている。排水切欠溝に位置する排水溝は、下斜め前方に傾斜している。【選択図】図１
0003211936.tif 000002
【実用新案登録請求の範囲】
【請求項１】
まな板であって、
前記まな板は、柔軟性可撓性プラスチック材料からなるとともに、表面部を有し、
前記表面部の周縁には、ストッパ縁が突設され、
前記ストッパ縁の一隅には、フック部が設けられ、
前記表面部には、前記フック部の対角位置に排水切欠溝が形成され、
前記排水切欠溝は、前記表面部から前記ストッパ縁へ向かって上斜め前方に傾斜していることを特徴とする、まな板。
【請求項２】
前記ストッパ縁の断面は、下向きのコ字状であることを特徴とする請求項１に記載のまな板。
【請求項３】
前記まな板は熱可塑性ポリウレタンからなることを特徴とする請求項１に記載のまな板。
【請求項４】
前記ストッパ縁の底面には、排水溝が凹設されていることを特徴とする請求項１に記載のまな板。
【請求項５】
前記排水切欠溝に位置する前記排水溝は、下斜め前方に傾斜していることを特徴とする請求項４に記載のまな板。
【考案の詳細な説明】
【技術分野】
【０００１】
本考案は、まな板に関し、特に、水分をスムーズに集めて排出し、速やかに乾かして乾燥した状態を維持するまな板に関する。
【背景技術】
【０００２】
従来のまな板は、木材又は硬質材料からなり、主に肉、野菜又は果物をその上でカットするために用いる。しかし肉、野菜又は果物をまな板上でカットする際、食べ物自体が含む水分又は液汁が混じったり、水分又は液汁がまな板の表面から不規則に流れ出たりし、調理台又は周辺の環境を汚染し、衛生状態が悪くなり、清掃が困難であるため高湿度で水分を長時間含んでカビが発生してしまい、調理をする者にとって手間が増えて面倒となる虞があり、従来のまな板には改善の余地があった。
【０００３】
そのため、上述した従来技術の問題点を改善する、新規性及び進歩性を有するまな板が求められていた。
【考案の概要】
【考案が解決しようとする課題】
【０００４】
本考案の目的は、水分を確実に集めて排出し、速やかに乾かして乾燥した状態に保ち、高湿度の環境下で水分を長時間含んでカビが発生してしまうことを防ぐ、まな板に関する。
【課題を解決するための手段】
【０００５】
上記課題を解決するために、本考案の第１の形態によれば、まな板であって、前記まな板は、柔軟性可撓性プラスチック材料からなるとともに、表面部を有し、前記表面部の周縁には、ストッパ縁が突設され、前記ストッパ縁の一隅には、フック部が設けられ、前記表面部には、前記フック部の対角位置に排水切欠溝が形成され、前記排水切欠溝は、前記表面部から前記ストッパ縁へ向かって上斜め前方に傾斜していることを特徴とする、まな板が提供される。
【０００６】
前記ストッパ縁の断面は、下向きのコ字状であることが好ましい。
【０００７】
前記まな板は熱可塑性ポリウレタンからなることが好ましい。
【０００８】
前記ストッパ縁の底面には、排水溝が凹設されていることが好ましい。
【０００９】
前記排水切欠溝に位置する前記排水溝は、下斜め前方に傾斜していることが好ましい。
【図面の簡単な説明】
【００１０】
【図１】図１は、本考案の一実施形態に係るまな板を示す斜視図である。
【図２】図２は、本考案の一実施形態に係るまな板を示す正面図である。
【図３】図３は、図２の線３−３に沿った断面図である。
【図４】図４は、図３の円部分の拡大図である。
【図５】図５は、図２の線５−５に沿った断面図である。
【図６】図６は、本考案の一実施形態に係るまな板を吊下げて乾かすときの状態を示す説明図である。
【図７】図７は、本考案の一実施形態に係るまな板を吊下げて乾かすときの状態を示す部分断面図である。
【図８】図８は、本考案の他の実施形態に係るまな板を吊下げて乾かすときの状態を示す部分断面図である。
【図９】図９は、本考案の他の実施形態に係るまな板を曲げて排水するときの状態を示す説明図である。
【考案を実施するための形態】
【００１１】
以下、本考案の実施形態について図に基づいて説明する。なお、これによって本考案が限定されるものではない。
【００１２】
図１〜図９を参照する。図１〜図９に示すように、本考案の一実施形態に係るまな板１０は、柔軟性可撓性プラスチック材料からなるとともに、表面部１１を有する。表面部１１の周縁には、ストッパ縁１２がそれぞれ突設される。表面部１１のストッパ縁１２の一隅には、フック部１３が設けられる。表面部１１には、フック部１３の対角位置に排水切欠溝１４が形成されている。排水切欠溝１４は、表面部１１からストッパ縁１２へ向かって上斜め前方に傾斜している（図５を参照する）。
【００１３】
ストッパ縁１２の断面は、下向きのコ字状である（図３を参照する）。
【００１４】
まな板１０は熱可塑性ポリウレタン（Ｔｈｅｒｍｏｐｌａｓｔｉｃ  Ｐｏｌｙｕｒｅｔｈａｎｅ：ＴＰＵ）からなる。
【００１５】
ストッパ縁１２の底面には、排水溝１５が凹設されている（図４を参照する）。
【００１６】
排水切欠溝１４に位置する排水溝１５は、下斜め前方に傾斜している（図８を参照する）。
【００１７】
図１〜図９を再び参照する。図１〜図９に示すように、実際に使用者が本実施形態のまな板を使用する際、肉、野菜又は果物を表面部１１へ直接置いてカットすると、表面部１１の周縁に突設されている閉端状ストッパ縁１２により、水分がまな板１０の表面部１１に確実に集められて水分が流れ出る虞がなく、作業台が清潔に保たれる上、使用後にフック部１３で吊下げると、残留した水分が排水切欠溝１４に集められてスムーズに排出される。また、本実施形態のまな板１０は、柔軟性可撓性材料からなるため、使用者が直接折り曲げると、カット済みの肉、野菜又は果物を表面部１１の中央部に集めてスムーズに排出させることができるため（図９を参照する）、作業を容易かつ効率的に行うことができる。
【００１８】
また、本実施形態の一隅に設けられたフック部１３を利用し、使用者がまな板１０を適宜な場所に掛合すると、まな板１０が傾くため（図６を参照する）、まな板１０に残留している全ての水分が排水切欠溝１４に集められ、排水切欠溝１４が表面部１１からストッパ縁１２へ向かって上斜め前方に傾斜しているため（図５を参照する）、排水切欠溝１４から水分が集められてスムーズに排出され、まな板１０を速やかに乾かし、乾燥した状態に保つことができる。そのため、高湿度で水分を長く含み続けて表面部１１にカビが発生してしまうことを防ぐことができるため、実用的である。
【００１９】
本実施形態のまな板１０は、柔軟性可撓性プラスチック材料からなるため、正面・背面ともに使用することができ、背面で肉、野菜又は果物をカットするとき、周縁のストッパ縁１２と表面部１１との高低差により、まな板１０の中央部が重力により自然に凹むため、肉、野菜又は果物をカットして発生する水分又は液汁が中央部に集められて流れ出る虞がない上、まな板１０を傾けて吊下げると、水分又は液汁が排水溝１５から直接排出されるため（図８を参照する）、作業を容易かつ効率的に行うことができる。
【００２０】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２１】
１０    まな板
１１    表面部
１２    ストッパ縁
１３    フック部
１４    排水切欠溝
１５    排水溝
【図１】
0003211936.tif 000003
【図２】
0003211936.tif 000004
【図３】
0003211936.tif 000005
【図４】
0003211936.tif 000006
【図５】
0003211936.tif 000007
【図６】
0003211936.tif 000008
【図７】
0003211936.tif 000009
【図８】
0003211936.tif 000010
【図９】
0003211936.tif 000011